(57)【特許請求の範囲】
【請求項１】
テレビカメラのレンズ鏡胴にドライブユニットが設けられ、前記ドライブユニットのズームスイッチ及び／又はアイリススイッチを操作することによって、ドライブユニットからの回転駆動力でレンズ鏡胴のズームリング及び／又はアイリスリングが回転駆動されるテレビカメラのレンズ操作装置に於いて、
前記ドライブユニットのケースの上面に前記ズームスイッチ及び／又はアイリススイッチを操作する側の手で操作可能なようにフォーカススイッチを設け、
前記ドライブユニットのケースの後面に前記ズームスイッチ及び／又はアイリススイッチを操作する側の手で操作可能なようにフォーカススイッチを設け、
前記フォーカススイッチを操作することによってドライブユニットからの回転駆動力で前記レンズ鏡胴のフォーカスリングが回転駆動されるテレビカメラのレンズ操作装置。
【請求項２】
前記ドライブユニットのケースの上面に配設されたフォーカススイッチは、オン−オフ制御用押しボタンであり、
前記ドライブユニットのケースの後面に配設されたフォーカススイッチは、スライド操作されるスイッチであることを特徴とする請求項１に記載のテレビカメラのレンズ操作装置。
【請求項３】
前記ドライブユニットのケースの上面に配設されたフォーカススイッチは一対設けられ、一方のフォーカススイッチはリターンスイッチとして、他方のフォーカススイッチはアイリスモーメンタリスイッチとしてそれぞれ切り換えられて使用されることを特徴とする請求項１又は２に記載のテレビカメラのレンズ操作装置。
【請求項４】
テレビカメラのレンズ鏡胴にドライブユニットが設けられ、前記ドライブユニットのズームスイッチ及び／又はアイリススイッチを操作することによって、ドライブユニットからの回転駆動力でレンズ鏡胴のズームリング及び／又はアイリスリングが回転駆動されるテレビカメラのレンズ操作装置に於いて、
前記レンズ鏡胴にフォーカスドライブユニットが設けられ、
前記ドライブユニットのケースの上面には前記ズームスイッチ及び／又はアイリススイッチを操作する側の手で操作可能なようにフォーカススイッチを設け、前記ドライブユニットのケースの後面には前記ズームスイッチ及び／又はアイリススイッチを操作する側の手で操作可能なようにフォーカススイッチを設け、前記フォーカススイッチを操作することによって前記フォーカスドライブユニットからの回転駆動力で前記レンズ鏡胴のフォーカスリングが回転駆動されるテレビカメラのレンズ操作装置。
【発明の詳細な説明】
【０００１】
【産業上の利用分野】
本発明は、テレビカメラのレンズ操作装置に係り、特にＥＮＧカメラのレンズ操作装置に関する。
【０００２】
【従来の技術】
報道カメラマンがＥＮＧカメラを肩に乗せ撮影を行なう場合、レンズ側部に設けられたドライブユニットのレンズグリップを右手で握り、右手でズームコントロールスイッチ、ＶＴＲスイッチのＯＮ−ＯＦＦの操作を行い、左手でフォーカスリングを握り左手でマニュアルフォーカス操作を行なっている。
【０００３】
【発明が解決しようとする課題】
しかしながら、高所や足場の狭い場所での撮影時、両手でカメラ操作をしていると、転倒したりする可能性があって大変危険であり撮影が困難である。
本発明は、このような事情に鑑みてなされたもので、片手でテレビカメラの撮影が可能となるテレビカメラのレンズ操作装置を提供することを目的としている。
【０００４】
【課題を解決するための手段】
本発明は、前記目的を達成するために、テレビカメラのレンズ鏡胴にドライブユニットが設けられ、前記ドライブユニットのズームスイッチ及び／又はアイリススイッチを操作することによって、ドライブユニットからの回転駆動力でレンズ鏡胴のズームリング及び／又はアイリスリングが回転駆動されるテレビカメラのレンズ操作装置に於いて、前記ドライブユニットのケースの上面に前記ズームスイッチ及び／又はアイリススイッチを操作する側の手で操作可能なようにフォーカススイッチを設け、前記ドライブユニットのケースの後面に前記ズームスイッチ及び／又はアイリススイッチを操作する側の手で操作可能なようにフォーカススイッチを設け、前記フォーカススイッチを操作することによってドライブユニットからの回転駆動力で前記レンズ鏡胴のフォーカスリングが回転駆動されることを特徴としている。
【０００５】
また、本発明は、前記目的を達成するために、テレビカメラのレンズ鏡胴にドライブユニットが設けられ、前記ドライブユニットのズームスイッチ及び／又はアイリススイッチを操作することによって、ドライブユニットからの回転駆動力でレンズ鏡胴のズームリング及び／又はアイリスリングが回転駆動されるテレビカメラのレンズ操作装置に於いて、前記レンズ鏡胴にフォーカスドライブユニットが設けられ、前記ドライブユニットのケースの上面には前記ズームスイッチ及び／又はアイリススイッチを操作する側の手で操作可能なようにフォーカススイッチを設け、前記ドライブユニットのケースの後面には前記ズームスイッチ及び／又はアイリススイッチを操作する側の手で操作可能なようにフォーカススイッチを設け、前記フォーカススイッチを操作することによって前記フォーカスドライブユニットからの回転駆動力で前記レンズ鏡胴のフォーカスリングが回転駆動されることを特徴としている。
【０００６】
【作用】
本発明によれば、テレビカメラのレンズ鏡胴に設けられるドライブユニットに、ズームスイッチ、アイリススイッチと共に、フォーカススイッチを設けたので、片手でズーム操作、アイリス操作、フォーカス操作を行なうことができるので、高所等でも安定した動作で撮影するができる。
【０００７】
前記ドライブユニットがフォーカスリングと連動していない場合には、専用のフォーカスドライブユニットをレンズ鏡胴に設け、フォーカススイッチをドライブユニットに設ければ片手で撮影動作を行なうことができる。
【０００８】
【実施例】
以下添付図面に従って本発明に係るテレビレンズの操作装置の好ましい実施例を詳述する。
図１では本発明に係る第１実施例の構造が示され、ＥＮＧカメラのレンズ鏡胴１０はレンズフード１２、フォーカスリング１４、ズームリング１６、アイリスリング１８が設けられており、更にレンズ鏡胴１０の後端部にはエクステンダ装置２０が設けられ、レンズ鏡胴１０の側部にはドライブユニット２２が設けられている。
【０００９】
レンズ鏡胴１０内には図示しない撮影レンズ光学系が配置され、フォーカスリング１４を回動することによりフォーカス調整がなされ、ズームリング１６を回動することによりズーム調整がなされ、アイリスリング１８を回動することによりアイリス絞り径が調整されるようになっている。
ドライブユニット２２は箱状のケース２４を有し、このケース２４は図示しないビスを介してレンズ鏡胴１０の図１上で右側部に固着される。更にケース２４の側面にはグリップバンド２７が設けられ、カメラマンはこのグリップバンド２７の中に親指以外の４本の指を挿入してレンズ鏡胴１０を保持することができる。さらにケース２４内には図示しないモータ、ギア等が配設されていて、これらのギアはケース２４の図示しない開口から露出してフォーカスリング１４、ズームリング１６、アイリスリング１８と噛み合っており、モータの回転力を適宜これらのリングに伝えてフォーカスリング１４、ズームリング１６、アイリスリング１８を夫々独立して回転駆動することが出来るようになっている。
【００１０】
ケース２４の上面２４Ａにはズームスイッチ２６、アイリスのオート／マニュアルスイッチ２８が設けられている。ズームスイッチ２６はテレ（Ｔ）側又はワイド（Ｗ）側に操作されると、ズームリング１６をテレ側又はワイド側に回動するようになっている。またオート／マニュアルスイッチ２８は、アイリス絞り径をマニュアル調整又は自動調整出来るようになっている。
【００１１】
ケース２４の後面２４Ｂにはフォーカススイッチ３０が配設され、このフォーカススイッチ３０は図１上で上下方向にスライド操作することによりフォーカスリング１４を回動しフォーカス調整することができる。更にフォーカススイッチはケース２４の上面２４Ａにはニア（ＮＥＡＲ）側のフォーカススイッチ３２Ａ、ファー（∞ＦＡＲ）側のフォーカススイッチ３２Ｂを配設することができる。フォーカススイッチ３２Ａ、３２Ｂはオン−オフ制御用押しボタンタイプで構成され、フォーカススイッチ３２Ａが押されるとフォーカスリング１４はニア側に回動し、フォーカススイッチ３２Ｂが押されるとフォーカスリング１４はファー（∞）側に回転される。フォーカススイッチ３２Ａは通常はリターンスイッチとして機能させ、フォーカススイッチ３２Ｂは通常はアイリスモーメンタリスイッチとして機能させ、切換えスイッチによりフォーカススイッチに切換えるようにしてもよい。
【００１２】
前記のごとく構成された本発明に係わる第１実施例の作用は次の通りである。カメラマンは右手の親指以外の４本の指をグリップバンド２８内に挿入し、この状態でレンズ鏡胴１０を保持する。この場合フォーカススイッチ３０は親指によってスライド操作され、これによりカメラマンはフォーカス調整することが出来る。またズームスイッチ２６は薬指、中指でズーム操作することが出来る。更に図示しない切換えスイッチを操作することによりフォーカス調整の操作をスライド式のフォーカススイッチ３０から押しボタン式のフォーカススイッチ３２Ａ、３２Ｂに切り換えることが出来る。この場合ニア側のフォーカススイッチ３２Ａは人指し指で操作され、ファー（∞）側のフォーカススイッチ３２Ｂは小指又は薬指で操作される。
【００１３】
更にフォーカススイッチ３２Ａ、３２Ｂは図示しない切換えスイッチを操作することによりスイッチ３２Ａをリターンスイッチとして使用し、スイッチ３２Ｂを通常のアイリスモーメンタリースイッチとして機能させることが出来る。
前記第１実施例によれば、レンズ鏡胴１０を保持した右手でズーム操作、フォーカス調整、アイリス調整等の撮影操作を全て行なうことが出来るので、左手が空き、高所の撮影等においても安定した撮影状態で撮影することが出来る。
【００１４】
図２では本発明に係る第２実施例の構造が示され、第２実施例に於いて図１で示した第１実施例中の部材と同一の部材には同一の番号を付し、その説明は省略する。第２実施例が図１の第１実施例と異なるのは、ケース２４の後面２４Ｂにボタン式のフォーカススイッチ３４Ａ、３４Ｂを設けたことである。即ち、フォーカススイッチ３４Ａが操作されると、フォーカスリング１４をニア側に回動し、フォーカススイッチ３４Ｂが操作されると、フォーカスリング１４をファー（∞）側に回動させることが出来る。前記実施例に於いても、レンズ鏡胴１０を保持する右手でピント調整、ズーム調整、アイリス調整を行なうことが出来るので、安定した動作で撮影を行なうことが出来る。
【００１５】
図３で第３実施例の構造が示され、第３実施例中で図１の第１実施例と同一の部材には同一の番号を付し、その説明は省略する。図３の第３実施例に於いてケース２４の後面２４Ｂには、スライドスイッチユニット３６とボタンスイッチユニット３８とが接着される。スイッチユニット３６にはスライドタイプのフォーカススイッチ４０が設けられ、スイッチユニット３８にはボタン式のフォーカススイッチ４２Ａ、４２Ｂが設けられている。ユニット３６、３８には夫々ケーブル４４、４６が設けられ、ケーブル４４、４６はケーブル４８で統合され、コネクタ５０を介してドライブユニット２２の図示しない制御回路基板に連結される。
【００１６】
前記の如く構成された第３実施例によれば、レンズ鏡胴１０を右手で保持した状態で、フォーカススイッチ４０をスライド操作し、フォーカスリング１４を回動してピント調整することができる。また図示しない切換えスイッチを操作することによりフォーカススイッチ４０からフォーカススイッチ４２Ａ、４２Ｂに切り換え、フォーカススイッチ４２Ａを押圧操作するとフォーカスリング１４はニア側に回動し、フォーカススイッチ４２Ｂを押圧操作するとフォーカスリング１４はファー（∞）側に回動させることができる。
【００１７】
前記第３実施例に於いても、前記第１、第２実施例と同様にレンズ鏡胴１０を保持した右手で全ての撮影動作を行なうことができ、安定した撮影状態で撮影することが出来る。
図４では第４実施例が示され、第４実施例に於いて第１乃至第３実施例で示した同一の部材には同一の番号を付しその説明は省略する。第１乃至第３実施例においてはドライブユニット２２の図示しない伝達ギアはフォーカスリング１４と連動され、従ってフォーカス調整機能を有していたのであるが、第４実施例においてはドライブユニット２３の伝達ギアはフォーカスリング１４と連動されていない。従って第４実施例に於いてはレンズ鏡胴１０の左側部に専用のフォーカスドライブユニット５２が図示しないビスを介して固着される。フォーカススイッチユニット３６、３８と連結されたケーブル４８はコネクタ５０を介してフォーカスドライブユニット５２に接続され、更にフォーカスドウイブユニット５２からの接続ケーブル５４はコネクタ５６を介してドライブユニット２２と接続されている。
【００１８】
前記の如く構成された第４実施例においても、第３実施例と同様にフォーカススイッチ４０又はフォーカススイッチ４２Ａ、４２Ｂを操作するとによりフォーカスリング１４を回動してフォーカス調整することができ、全ての撮影操作を片手で行なうことができる。
前記図３、図４の各実施例においては、フォーカススイッチユニット３６、３８はいずれか一方があれば良いものであり必ずしも両方が装着されている必要性はない。
【００１９】
【発明の効果】
本発明のテレビカメラのレンズ操作装置によれば、一方の手でズーム調整、フォーカス調整、アイリス調整しながらカメラの撮影が可能となり、他方の手がフリーとなり他方の手で身体を支えながら機動性のある撮影ができる。
【図面の簡単な説明】
【図１】図１は本発明に係る第１実施例を示す斜視図
【図２】図２は本発明に係る第２実施例を示す斜視図
【図３】図３は本発明に係る第３実施例を示す斜視図
【図４】図４は本発明に係る第４実施例を示す斜視図
【符号の説明】
１０…レンズ鏡胴
１２…フード
１４…フォーカスリング
１６…ズームリング
１８…アイリスリング
２２…ドライブユニット
２６…ズームスイッチ
３０…フォーカススイッチ
３２Ａ、３２Ｂ…フォーカススイッチ
【図１】
0003544224.tif 000002
【図２】
0003544224.tif 000003
【図３】
0003544224.tif 000004
【図４】
0003544224.tif 000005